(57)【要約】【課題】簡単な構造及び操作でドアの覗き窓を開閉することができ、必要に応じて印鑑として利用することができる覗き窓開閉装置を提供することである。【解決手段】貫通穴１１を有する筒状部材１０と、前記貫通穴１１に挿入される印鑑２２を有する開閉部材２０より成り、筒状部材１０は、ドアの覗き窓の周囲に磁石で吸着され、開閉部材２０は把手２１を手で持って貫通穴１１の開口部へ押し当てることにより嵌合するようになっている。【選択図】図１
0003175660.tif 000002
【実用新案登録請求の範囲】
【請求項１】
一端から他端に貫通する貫通穴を有する筒状部材と、前記貫通穴の一端の開口部に嵌合してこの開口部を閉鎖し、嵌合を解いて前記開口部を開く開閉部材より成り、前記筒状部材の他端にドアの覗き窓の周囲に吸着する磁石を設けて筒状部材を前記覗き窓に取り付け筒状部材の一端開口部からドア外部を観察可能とし、前記開閉部材の筒状部材との嵌合部に、前記開閉部材から突出して前記貫通穴に挿入される印鑑を設けた覗き窓の開閉装置。
【請求項２】
前記筒状部材の貫通穴の一端内周面に沿って突条を設け、この突条に嵌合する突条を前記開閉部材の印鑑を取り囲むように設けた請求項１に記載の覗き窓の開閉装置。
【請求項３】
前記筒状部材がシリコーン樹脂の成形品より成る請求項１または２に記載の覗き窓の開閉装置。
【考案の詳細な説明】
【技術分野】
【０００１】
この考案は、ドアなどの覗き窓に装着してドア外部からは室内を覗くことができず、室内からはドア外部を監視することができ、かつ開閉機構と印鑑を一体化して配信物などに受取印を押印できるようにした覗き窓の開閉装置に関する。
【背景技術】
【０００２】
印鑑のキャップまたはキャップを挿入して保持できる筒状体に吸着機能を設けて、印鑑を任意の個所に留置しておき、印鑑の使用または収納の便をはかった技術は、例えば特許文献１または２に開示されている。しかしながら、このような技術は単に印鑑の取扱いの便利さや紛失を防止する効果があるとしてもさほど利用価値のある技術とは思われず、現に日常生活に普及していない。
【０００３】
一方、特許文献３及び４には、ドアの覗き窓に筒状体を吸着し、この筒状体にシャッタ
を設けて覗き窓を開閉できるようにした装置が開示されている。しかしこの装置ではシャッタの開閉機構が必要であり、覗き窓の開閉に利用されるものであって、それ以外の利用価値はない。また、特許文献３には、覗き窓に布を垂れ下げて開閉できるようにし、この布にポケットを設けて印鑑を収納しておくことも記載されているが、印鑑自体は本来の機能を有するのみであって開閉装置の構造と関連性は全くない。
【先行技術文献】
【特許文献】
【０００４】
【特許文献１】実公平２−１２４１６１号公報
【特許文献２】特開２０１２−６３１８号公報
【特許文献３】特開平１１−６２４３０号公報
【特許文献４】特開２００１−４０９５８号公報
【考案の概要】
【考案が解決しようとする課題】
【０００５】
この考案の課題は、簡単な構造及び操作でドアの覗き窓を開閉することができ、必要に応じて印鑑として利用できるようにすることである。
【課題を解決するための手段】
【０００６】
上記の課題を解決するために、この考案においては、一端から他端に貫通する貫通穴を有する筒状部材と、前記貫通穴の一端の開口部に嵌合してこの開口部を閉鎖し、嵌合を解いて前記開口部を開く開閉部材より成り、前記筒状部材の他端にドアの覗き窓の周囲に吸着する磁石を設けて筒状部材を前記覗き窓に取り付け筒状部材の一端開口部からドア外部を観察可能とし、前記開閉部材の筒状部材との嵌合部に、前記開閉部材から突出して前記貫通穴に挿入される印鑑を設けた構成を採用したのである。
【０００７】
前記筒状部材と開閉部材の嵌合構造は、前記貫通穴の一端内周面に沿って突条を設け、前記開閉部材の印鑑を取り囲むように突条を設けて前記貫通穴の突条と嵌合可能としたのである。
【０００８】
前記筒状部材はエラストマー樹脂やシリコーン樹脂等の滑り性の良好な半硬質樹脂で形成するのが好ましい。
【考案の効果】
【０００９】
この考案の開閉装置によれば、以上のように、筒状部材と開閉部材だけで装置が構成されているので動的部分がなく極めて簡単な構造で開閉操作も把手の嵌合または嵌合を解くだけの一挙動で済む。勿論必要に応じていつでも印鑑として使用することができる。
【図面の簡単な説明】
【００１０】
【図１】この考案の覗き窓の開閉装置を示す分解斜視図、
【図２】同上を組立てた状態を示す縦断面図、
【図３】同上の裏面図、
【図４】開閉装置をドアに取り付けた一例を示す正面図である。
【考案を実施するための形態】
【００１１】
以下、この考案の実施形態を添付図面に基づいて説明する。図１及び図２に示すように、開閉装置１は、ドアの覗き窓の外周に取り付けてドア外部を観察することができるようにした貫通孔１１を有する筒状部材１０と、この筒状部材１０に設けた観察用貫通穴１１を開閉する開閉部材２０より成る。筒状部材１０は、ドアに取り付けられる底面１２がほぼフラットになっており、先端方向にテーパ状に先細りになるテーパ状側面１３を有している。一方中心の貫通穴１１は直筒形となっており、内周面の外端部に突条１５が周方向に形成されている。この突条１５は適当な間隔で不連続になっている。また、底面１２には、適当な間隔で磁石１６が埋め込まれ、鉄製のドアに筒状部材１０を吸着できるようになっている。なお、筒状部材１０は、シリコーン樹脂などの半硬質樹脂の成形品が好ましい。この場合、磁石はインサート成形によって埋設することができる。
【００１２】
前記開閉部材２０は、把手２１の先端面に印鑑２２を固着したものであって、印鑑２２を筒状部材１０の貫通穴１１に挿入し、リング状の外端面１７に把手２１の端面２３を当接するように押し込むと、印鑑２２の軸の外周を取り囲むように設けられた突条２４と貫通穴１１の外端内周面の突条１５が圧接嵌合して、把手２１が筒状部材１０に保持される。
【００１３】
筒状部材１０の貫通穴１１を開放したいときは、把手２１を握り少し力を込めて手前に把手２１を引張ると、貫通穴１１の突条１５と把手２１の突条２４のスナップ係合が外れ、把手２１を筒状部材１０から取り外すことができる。
【００１４】
ドアＤの覗き窓Ｐに開閉装置１を取り付けるには、図４に示すように、筒状部材１０の貫通穴１１が覗き窓Ｐの開口に一致するよう底面１２を磁石１６によって吸着する。覗き窓ＰからドアＤの外部を観察したい場合には、把手２１を握って引張り、開閉部材２０を取り外す。このとき、何らかの要請、例えば配信物の受取りが必要とされれば、把手２１に印鑑２２が附随しているため、これをそのまま用いることができるので非常に便利である。
【００１５】
前記印鑑２２は、予めインクを浸潤させてある浸透式が好ましいが、印肉式またはスタンプ式のものでもよい。また、押印面にキャップを被せておくこともできる。
【００１６】
この考案の開閉装置１は、必ずしもドアだけに用いられるものではなく、例えば机の上に載置して印鑑スタンドとして用いることもできる。
【符号の説明】
【００１７】
１  覗き窓の開閉装置
１０  筒状部材
１１  貫通穴
１２  底面
１３  テーパ状側面
１５  突条
１６  磁石
１７  リング状外端面
２０  開閉部材
２１  把手
２２  印鑑
２３  把手の端面
２４  突条
Ｄ  ドア
Ｐ  覗き窓
【図１】
0003175660.tif 000003
【図２】
0003175660.tif 000004
【図３】
0003175660.tif 000005
【図４】
0003175660.tif 000006